(57)【特許請求の範囲】
【請求項１】
一枚のブランクを組み立ててなる直方体形状のカートンであって、横方向に順に連設された前面パネル、一方の側面パネル、後面パネル、他方の側面パネル、前面内側パネル及び側面内側パネルにより、前面内側パネルと側面内側パネルの外側にそれぞれ前面パネルと一方の側面パネルが重なった角筒状の胴部が形成されており、前面内側パネルの上部には、一方の側面パネル寄りに振出口が設けられると共に、中ほどに上下方向のスリットが形成されており、前面パネルの上部には、前面内側パネルのスリットに挿入可能な幅の開封領域が破断可能に区画されると共に、その開封領域における他方の側面パネル寄りに開口が設けられており、一方の側面パネルの上部には、前面パネルの開封領域に連なる回動領域が破断可能に区画されており、前面パネルの開封領域をそれに連なる一方の側面パネルの回動領域と共に破断して開封した後、前面パネルから分離された開封領域の先端を前面内側パネルのスリットに差し込んだ状態でスライドさせることにより、前面内側パネルの振出口に対して前面パネルの開口が重なったりずれたりすることで振出口が開閉するようになっていることを特徴とする振出口付きカートン。
【請求項２】
前面パネルの開閉領域の先端に前面内側パネルのスリットからの抜け出しを防止するストッパーを設けたことを特徴とする請求項１に記載の振出口付きカートン。
【請求項３】
前面パネルの開閉領域の中ほどに縦方向の折れ線を設けたことを特徴とする請求項１又は２に記載の振出口付きカートン。
【請求項４】
前面パネルの開閉領域の開口を軸線が傾いた楕円形状にしたことを特徴とする請求項１〜３の何れかに記載の振出口付きカートン。
【発明の詳細な説明】
【技術分野】
【０００１】
本発明は、板紙からなるカートンの技術分野に属し、詳しくは、チョコレート、キャンデー、ガム等の粒状の菓子類やその他の粒状商品を収納して小出しできる振出口カートンに関するものである。
【背景技術】
【０００２】
従来、この種の振出機能を有するカートンとして、側面パネルや天面パネルの一部に振出口を設けたものが一般的である（特許文献１，２参照）。ところが、このようなタイプばかりではデザイン面で制約があるため、正面に振出口を設けたものも知られている（特許文献３参照）。
【先行技術文献】
【特許文献】
【０００３】
【特許文献１】特開平７−７６３４１号公報
【特許文献２】特開平７−８９５３８号公報
【特許文献３】実用新案登録第３０６００３２号公報
【発明の概要】
【発明が解決しようとする課題】
【０００４】
上記の特許文献３に記載された振出口付きカートンは、正面に振出口を設けたタイプであり、しかも汎用製函機であるサック貼りマシンに掛けて自動組立包装ができるというものであるが、接合パネルと接着する側面パネルに破断片を設けるとともに、接合パネルにおいてこの破断片が接着される箇所に２本のミシン目又はジッパーにより破断片接着部を形成しており、サック貼りするための糊付け個所が分散しているため、糊を分散した個所に狙い撃ちして塗布する必要があり、一本塗布のように高速では貼れないという問題がある。また、スライドして正面パネルの振出口を開閉する内接パネルがＴ型であるため、ブランクの貼り工程で曲がりを生じやすく、これを防止しようとするとスピードが落ちてしまうなどの問題もあって、機械適正がそれほど良いとはいえない。
【０００５】
また、この振出口付きカートンは、内接パネルの案内片があるため、充填ラインで折り畳むフラップが多くなるので、専用の治具を必要とする。すなわち、現行の充填ラインをそのまま使おうとすると、正面パネル側の天板と内接パネルの案内片とを同時に折り曲げることになるため、カートン完成時に正面パネル側から背面パネル側の天板の端面が視認されることになり、外観上好ましくない。
【０００６】
また、特許文献３に記載の振出口付きカートンは、開封時に指掛け部分の側面が開口してしまい、内容物が小粒であるとそこから出てしまうという懸念があり、振出口を開閉する内接パネルが大きいので、上下の案内片で支えてはいるものの撓んでスムースに動きにくいといった構造上の問題もある。
【０００７】
本発明は、上記のような問題点に鑑みてなされたものであり、その目的とするところは、正面に振出口がありながら、サック貼りマシンに対する機械適正に優れ、現行の充填ラインをそのまま使うことができ、しかも落ちこぼれを生じたり操作性が悪いといったような構造上の問題もない振出口付きカートンを提供することにある。
【課題を解決するための手段】
【０００８】
上記の目的を達成するため、本発明の振出口付きカートンは、一枚のブランクを組み立ててなる直方体形状のカートンであって、横方向に順に連設された前面パネル、一方の側面パネル、後面パネル、他方の側面パネル、前面内側パネル及び側面内側パネルにより、前面内側パネルと側面内側パネルの外側にそれぞれ前面パネルと一方の側面パネルが重なった角筒状の胴部が形成されており、前面内側パネルの上部には、一方の側面パネル寄りに振出口が設けられると共に、中ほどに上下方向のスリットが形成されており、前面パネルの上部には、前面内側パネルのスリットに挿入可能な幅の開封領域が破断可能に区画されると共に、その開封領域における他方の側面パネル寄りに開口が設けられており、一方の側面パネルの上部には、前面パネルの開封領域に連なる回動領域が破断可能に区画されており、前面パネルの開封領域をそれに連なる一方の側面パネルの回動領域と共に破断して開封した後、前面パネルから分離された開封領域の先端を前面内側パネルのスリットに差し込んだ状態でスライドさせることにより、前面内側パネルの振出口に対して前面パネルの開口が重なったりずれたりすることで振出口が開閉するようになっていることを特徴としている。
【０００９】
そして、上記構成の振出口付きカートンにおいて、前面パネルの開閉領域の先端に前面内側パネルのスリットからの抜け出しを防止するストッパーを設けることが好ましい。
【００１０】
また、上記構成の振出口付きカートンにおいて、前面パネルの開閉領域の中ほどに縦方向の折れ線を設けることが好ましい。
【００１１】
また、上記構成の振出口付きカートンにおいて、前面パネルの開閉領域の開口を軸線が傾いた楕円形状にすることが好ましい。
【発明の効果】
【００１２】
本発明の振出口付きカートンは、正面に振出口を位置させたタイプでありながら、組み立てるときには、前面パネルの開封領域より下方裏側を前面内側パネルの表側に貼り合わせて起函すればよいため、サック貼りする際に、前面内側パネルの表側に糊をライン状に一本だけ塗布して高速で貼り合わせることができるので、サック貼りマシンに対する機械適性に優れたものとなる。また、上下の閉鎖部は、案内片のような特別なフラップを有しておらず、通常のカートンと同様な閉鎖部となるので、現行の充填ラインをそのまま使用して組み立てることができる。また、開封しても指掛け部分などの孔を生じないので、内容物がこぼれ落ちることがなく、しかも、開封後は前面パネルの一部を破断した開閉領域をスリットに出し入れするだけの構造となるので、振出口の開閉操作をスムースに行うことができる。
【００１３】
そして、上記構成の振出口付きカートンにおいて、前面パネルの開閉領域の先端に前面内側パネルのスリットからの抜け出しを防止するストッパーを設けることにより、開閉領域がスリットから外れることが防止され、指先による振出口の開閉操作を安心して行うことができる。
【００１４】
また、上記構成の振出口付きカートンにおいて、前面パネルの開閉領域の中ほどに縦方向の折れ線を設けることにより、開閉領域はスライドする際にその折れ線のところで折れ曲がり、折れ線から先端側で開口のある部分が真っ直ぐな状態を保ってスライドし、安定した開閉操作を行うことができる。
【００１５】
また、上記構成の振出口付きカートンにおいて、前面パネルの開閉領域の開口を軸線が傾いた楕円形状にすることにより、円形や軸線が傾かない楕円とした場合に比べ、開閉領域がスライドするときに開口のところで折れ曲がるのが軽減される。
【図面の簡単な説明】
【００１６】
【図１】本発明に係る振出口付きカートンの一例を示す斜視図である。
【図２】図１の振出口付きカートンを形成するブランクの展開図である。
【図３】図１の振出口付きカートンを開封した状態で示す斜視図である。
【図４】図１の振出口付きカートンを開封した後にリクローズした状態で示す斜視図である。
【図５】図４に示した使用時の振出口付きカートンをその振出口を開けた状態で示す斜視図である。
【発明を実施するための形態】
【００１７】
次に、本発明の実施の形態について図面を参照しながら詳細に説明する。
【００１８】
図１に示す振出口付きカートンＣは、図２に示す展開形状のブランクＢを組み立てて形成される。この振出口付きカートンＣの中にはチョコレート、キャンデー、ガム等の粒状の菓子類やその他の粒状商品が収納される。
【００１９】
ブランクＢは、板紙を打ち抜いて形成されたもので、図２に示すように、振出口付きカートンＣの胴部を構成するための前面パネル１、右側面パネル２、後面パネル３、左側面パネル４、前面内側パネル５及び側面内側パネル６が横方向に順に連設されている。広幅の前面パネル１、後面パネル３及び前面内側パネル５は実質的に同じ幅である。また、狭幅の右側面パネル２と左側面パネル３は同じ幅であり、側面内側パネル６は右側面パネル２及び左側面パネル３より僅かに狭い幅で、ここでは前面内側パネル５の上半分だけに延設されている。
【００２０】
振出口付きカートンＣの胴部上部を閉鎖するため、右側面パネル２と左側面パネル４の上辺にはそれぞれ折込み片７，８が連設され、後面パネル３の上辺には内側閉鎖パネル９が連設され、前面内側パネル５の上辺には外側閉鎖パネル１０が連設されており、また胴部下部を閉鎖するため、右側面パネル２と左側面パネル４の下辺にはそれぞれ折込み片１１，１２が連設され、後面パネル３の下辺には内側閉鎖パネル１３が連設され、前面パネル１の下辺には外側閉鎖パネル１４が連設されている。なお、組立時において右側面パネル２と側面内側パネル６は重なるので、右側面パネル２の上辺に設けた折込み片７は、側面内側パネル６の上辺に設けるようにしてもよい。
【００２１】
前面内側パネル５の上部には、側面内側パネル６寄りに振出口１５が設けられると共に、中ほどに上下方向のスリット１６が形成されている。この振出口１５は前面内側パネル５と側面内側パネル６をそれらの境界で折り曲げるときにその縁が外側に膨らまないように、図示の如く境界線の一部に掛かる状態で形成されている。
【００２２】
前面パネル１の上部には、前面内側パネル５のスリット１６に挿入可能な幅の開封領域１ａが破断可能に区画されると共に、その開封領域１ａにおける端縁寄りに楕円形状の開口１７が設けられており、右側面パネル２の上部には、前面パネル１の開封領域１ａに連なる回動領域２ａが破断可能に区画されている。ここでは、前面パネル１の開封領域１ａは、左寄り２箇所にツナギ部分のある切線により破断可能になっており、右側面パネル２の回動領域２ａは、下側が途中１箇所にツナギ部分のある切線で、上側の折込み片７との境界はミシン目でそれぞれ破断可能としている。そして、開封領域１ａと回動領域２ａの境界の中ほどには開封領域１ａ側へ僅かに突き出る切込線１８が形成されている。
【００２３】
前面パネル１の開封領域１ａは、その左右幅が後面パネル３及び前面内側パネル５の幅と同じであるが、前面パネル１のそれより下方の部分の幅を小さくすることで僅かに左側に突き出た形状になっている。そして、前面パネル１の上辺左寄りのところを平行に少し窪ませた形状とすることで、開閉領域１ａの先端外側にストッパーとして機能する突起１ｂを形成している。
【００２４】
さらに、前面パネル１の開閉領域１ａには、その中ほどを縦断するようにして縦方向の罫線からなる折れ線１９が設けられている。この折れ線１９は、使用時に開閉領域１ａが２つに折れ曲がるようにするためのものであり、開口１７の右側に位置し、しかも開口１７とは接しないように設けられる。
【００２５】
開閉領域１ａに設けられる開口１７は、楕円形状には限らないが、楕円形状にする場合には、軸線が傾いた楕円形状とすることが好ましい。図示のように楕円の長軸線を上下方向から少し斜めに傾けることで、幅方向に力が作用したときに開閉領域１ａが開口１７のところで折れ曲がるのが防止される。
【００２６】
図２のブランクＢを組み立てるには、まずこのブランクＢを汎用のサック貼りマシンにかけてサック貼りする。具体的には、ブランクＢを図の上下方向に搬送しながら、左側面パネル４と前面内側パネル５の境界で折り曲げ、次いで糊を吹しているノズルの下を通して、前面内側パネル５における図の接着部５ａに糊をライン状に一本だけ塗布した後、右側面パネル２と後面パネル３の境界で折り曲げて、前面パネル１の開封領域１ａより下方裏側を前面内側パネル５の表側に貼り合わせる。このようにサック貼り状態で折り畳んだブランクＢを複数枚まとめて充填工程に送り、そこで内容物を入れて図１に示す振出口付きカートンＣを組み立てる。
【００２７】
充填工程において、サック貼り状態で折り畳まれたブランクＢを起こすことにより、前面パネル１、右側面パネル２、後面パネル３、左側面パネル４、前面内側パネル５及び側面内側パネル６により、前面内側パネル５と側面内側パネル６の外側にそれぞれ前面パネル１と右側面パネル２が重なった角筒状の胴部が形成される。
【００２８】
次いで、各側面パネル２，４の上辺に連設する折込み片７，８をそれぞれ内側に折り曲げ、その上から後面パネル３の上辺に連設する内側閉鎖パネル９と前面内側パネル５の上辺に連設する外側閉鎖パネル１０を順次折り曲げて糊付けすることで胴部上部に閉鎖部を形成する。このようにして、角筒状の胴部における上方を閉じた後、下方の開口から内容物を挿入する。そして、各側面パネル２，４の下辺に連設する折込み片１１，１２をそれぞれ内側に折り曲げ、その上から後面パネル３の下辺に連設する内側閉鎖パネル１３と前面パネル１の下辺に連設する外側閉鎖パネル１４を順次折り曲げて糊付けすることで胴部下部に閉鎖部を形成して図１に示す振出口付きカートンＣの組立を完了する。なお、上部と下部を閉鎖する順序は逆でもよい。
【００２９】
図１の振出口付きカートンＣから中身を振り出すに際しては、まず最初に、図３に示す如く、前面パネル１の開封領域１ａをそれに連なる右側面パネル２の回動領域２ａと共に破断して開封する。しかる後、図４に示すように、前面パネル１から分離された開封領域１ａの先端を前面内側パネル５のスリット１６に差し込んでリクローズする。このように開封片としての開封領域１ａを前面パネル１から破り、それに連なる右側面パネル２の回動領域２ａも破ることで、図１の振出口付きカートンＣを開封してから、揺動可能となった開封片である開封領域１ａの先端を前面内側パネル５のスリット１６に差し込むことにより内容物の振出しの準備が行われる。
【００３０】
このようにして内容物振出しの準備をした後、開封領域１ａと回動領域２ａの境界にある切込線１８により形成される突起２０に指先を掛けて開封領域１ａを右側にスライドさせると、図５に示すように、前面内側パネル５の振出口１５に対して前面パネル１の開口１７が重なって振出口１５が開いた状態となるので、そこから内容物を振り出すことができる。このように、開閉領域１ａを指先で左右にスライドさせると、開閉領域１ａの開口１７が重なったりずれたりして振出口１５の開閉が行われる。
【００３１】
上記の振出口付きカートンＣでは、開閉領域１ａ先端に突起１ｂを設けてあるので、開閉領域１ａを左右にスライドさせるとき、この突起１ｂがスリット１６の先端で引っ掛かることによってストッパーの役目を果たすことになり、開封領域１ａは前面内側パネル５のスリット１６からの抜出しが防止される。
【００３２】
また、上記の振出口付きカートンＣは、開閉領域１ａの中ほどに縦方向の折れ線１９を設けてあるので、開閉領域１ａが右方向にスライドするに伴って折れ線１９のところで２つに折れ曲がることとなり、折れ線１９から先端側で開口１７のある部分は、真っ直ぐな状態を保ってスライドすることができる。
【００３３】
また、上記の振出口付きカートンＣでは、開閉領域１ａに振出口１５に重なるための開口１７を設けてあり、このため強度的に弱くなってはいるが、開閉領域１ａの開口１７を軸線が傾いた楕円形状としているので、開口１７を円形や軸線が傾かない楕円とした場合に比べると、開閉領域１ａがスライドするときに開口１７のところで折れ曲がるのが軽減される。
【００３４】
以上、本発明を実施するための形態について詳細に説明してきたが、本発明による振出口付きカートンは、上記の形態に何ら限定されるものではなく、本発明の趣旨を逸脱しない範囲において種々の変更が可能であることは当然のことである。
【００３５】
例えば、上記の例では、前面パネルの開閉領域を右方向にスライドさせて前面内側パネルのスリットから出し入れするように設計したが、ブランクを左右対称に入れ替えた展開形状とすることで、前面パネルの開閉領域を左方向にスライドさせて前面内側パネルのスリットから出し入れするように設計することも可能である。
【００３６】
また、上記の例では、前面パネル１における開閉領域１ａの先端外側にストッパーとして機能する突起１ｂを形成したが、開閉領域１ａを破断可能とする切線の形状を工夫することで先端内側に突起を形成するようにしてもよい。もちろん、開閉領域１ａの先端外側と先端内側の両方に形成することも可能である。
【符号の説明】
【００３７】
Ｂ  ブランク
Ｃ  振出口付きカートン
１  前面パネル
１ａ  開閉領域
１ｂ  突起
２  右側面パネル
２ａ  回動領域
３  後面パネル
４  左側面パネル
５  前面内側パネル
５ａ  接着部
６  側面内側パネル
７，８  折込み片
９  内側閉鎖パネル
１０  外側閉鎖パネル
１１，１２  折込み片
１３  内側閉鎖パネル
１４  外側閉鎖パネル
１５  振出口
１６  スリット
１７  開口
１８  切込線
１９  折れ線
２０  突起
【図１】
0005381642.tif 000002
【図２】
0005381642.tif 000003
【図３】
0005381642.tif 000004
【図４】
0005381642.tif 000005
【図５】
0005381642.tif 000006